(57)【要約】【課題】外部から衝撃を受けた場合に、光ピックアップ等の駆動対象が設けられるスライダに加わる衝撃を無くすとともに、ギア部分に過大な負荷が加わらないようにする。【解決手段】モータの回転軸に取り付けられるウォームギアと、ウォームギアに噛合するウォームホイールと、ウォームホイールと同じ回転軸を有して一体に回転するピニオンギアと、ピニオンギアに噛合するラックギアが取り付けられ、ピニオンギアの回転に伴いスライド移動するスライダとを備えてなる。このスライド送り機構では、ウォームホイールとピニオンギアとの回転軸が、スライダのスライド方向と同方向に撓むよう弾性を有する軸支持部材で回転軸の一方の端部が支持されている。【選択図】  図３
2004176807.tif 000002
【特許請求の範囲】
【請求項１】
モータの回転軸に取り付けられるウォームギアと、
上記ウォームギアに噛合するウォームホイールと、
上記ウォームホイールと同じ回転軸を有して一体に回転するピニオンギアと、
上記ピニオンギアに噛合するラックギアが取り付けられ、ピニオンギアの回転に伴いスライド移動するスライダとを備え、
上記ウォームホイールと上記ピニオンギアとは、上記スライダのスライド方向と同方向に撓むよう弾性を有する支持部材で回転軸の一方の端部が支持されていることを特徴とするスライド送り機構。
【請求項２】
上記支持部材は、上記ウォームギアと上記ウォームホイール、及び上記ピニオンギアと上記ラックギアとのピッチ方向が断面二次モーメントが高い方向となるように上記ウォームホイールと上記ピニオンギアの回転軸を支持していることを特徴とする請求項１記載のスライド送り機構。
【請求項３】
上記支持部材は、樹脂製であることを特徴とする請求項１記載のスライド送り機構。
【請求項４】
上記スライダには、光ピックアップが取り付けられていることを特徴とする請求項１記載のスライド送り機構。
【発明の詳細な説明】
【０００１】
【発明の属する技術分野】
本発明は、例えばディスクドライブ装置における光ピックアップをスライド移動させるように、回転運動を直線運動に変えるウォームギアを用いたスライド送り機構に関する。
【０００２】
【従来の技術】
ウォームギアを用いたスライド送り機構は、回転運動を直線運動に変える機構の１つとして知られており、種々の装置で用いられている。
【０００３】
例えば、ＣＤ−ＲＯＭドライブのようなディスクドライブ装置においては、ＣＤ−ＲＯＭ等の光ディスクに記録された情報を読み出すための光ピックアップ（ＯＰＵ）を、装置内に挿入された光ディスクの内周から外周へ径方向に亘ってスライド移動させる手段として、上述したウォームギアを用いたスライド送り機構が採用されている。
【０００４】
このようなディスクドライブ装置におけるスライド送り機構としては、通常、ＤＣモータやステッピングモータ等の正逆回転可能なモータと、モータの回転軸に取り付けられたウォームギアと、モータの回転軸と直交する回転軸を有しウォームギアと噛合するウォームホイールと、ウォームホイールと一体に回転する小径のピニオンギアと、ピニオンギアと噛合するラックギアと、ラックギアが取り付けられガイドロッドに沿ってモータの軸方向に移動するスライダとから構成されている。そして、このスライダに、光ピックアップが取り付けられ、モータを正逆回転させることにより、光ピックアップを光ディスクの内周から外周へ、及び外周から内周へ径方向に移動できるよう構成されている。
【０００５】
上述したようなスライド送り機構では、ディスクドライブ装置に外部から衝撃が加わり、この衝撃の影響によってスライダがスライド送り機構の動作とは無関係に移動しようとして、ギア部分に過度の負荷が加わる場合がある。このような場合、減速機構を構成する各ギアやスクリュー等の噛み合わせが外部からの衝撃によって容易に外れるよう構成し、スライダをスライド送り機構から解放して移動可能とすることによってギア部分にかかる負荷を逃がしたり、各ギアやスクリュー等の噛み合わせは外れないよう構成し、ギアの強度を高めることによって衝撃による負荷に耐え得るようにしている。
【０００６】
【発明が解決しようとする課題】
しかしながら、スライド送り機構において、外部からの衝撃によりギアのかみ合わせが外れるよう構成した場合には、スライド機構から解放されたスライダが衝撃の影響により高速で移動し、このような移動によってスライダに設けられた光ピックアップが大きな衝撃を受ける虞れがある。
【０００７】
また、外部からの衝撃によりギア部分のかみ合わせが外れないよう構成した場合には、ギア部分にかかる負荷が大きくなり過ぎ、動作に不具合が生じる。
【０００８】
そこで、本発明は、外部から衝撃を受けた場合に、光ピックアップ等の駆動対象が設けられるスライダに加わる衝撃を無くすとともに、ギア部分に過大な負荷が加わらないスライド送り機構を提供することを目的とする。
【０００９】
【課題を解決するための手段】
上述した目的を達成するために、本発明に係るスライド送り機構は、モータの回転軸に取り付けられるウォームギアと、このウォームギアに噛合するウォームホイールと、ウォームホイールと同じ回転軸を有して一体に回転するピニオンギアと、このピニオンギアに噛合するラックギアが取り付けられ、ピニオンギアの回転に伴いスライド移動するスライダとを備えてなる。そして、このスライド送り機構では、ウォームホイールとピニオンギアとの回転軸が、スライダのスライド方向と同方向に撓むよう弾性を有する支持部材で回転軸の一つの端部が支持されていることを特徴とする。
【００１０】
上述した構成を有する本発明に係るスライド送り機構によれば、外部から衝撃が加わった場合であっても、スライダ送り機構の動作とは無関係なスライダの移動が、ウォームホイールとピニオンギアの回転軸を支持する支持部材が撓むことにより吸収される。そして、このような支持部材の撓みによって、各ギア部分にかかる負荷も吸収され、また、スライダに設けられた光ピックアップ等の駆動対象に大きな衝撃が加わることもなくなる。
【００１１】
【発明の実施の形態】
以下、本発明に係るスライド送り機構の具体的な実施の形態について、図面を参照しながら詳細に説明する。なお、以下に説明する実施の形態は、ディスクドライブ装置において、光ディスクの径方向に亘って光ピックアップをスライド移動させるスライド送り機構に本発明を適用したものであるが、本発明はこのような例に限定されるものでないことはいうまでもない。
【００１２】
ディスクドライブ装置１は、図１に示すように、装置本体２と、該装置本体２から同図中矢印Ａ方向に挿脱される光ディスクｄの搬送用のディスクトレイ３とを備えて構成されている。装置本体２には、ディスクトレイ３上の光ディスクｄを回転させ、記録された情報の読み出し等を行う各機構が配設された図２に示す機構ユニット１１が、該装置本体２の外筺であるケーシング４内に収容されてなる。
【００１３】
機構ユニット１１は、硬質樹脂等で構成されたユニットベース１２上に、光ディスクｄが載置されるターンテーブル１３と、光ディスクｄを再生又は記録・再生するための光ピックアップ１４と、この光ピックアップ１４をスライド移動させるスライド送り機構２１とが設けられている。
【００１４】
ターンテーブル１３は、スピンドルモータ（図示せず）によって回転駆動される円盤状の部材であって、ディスクトレイ３に乗って搬送されてきた光ディスクｄを位置決め固定するチャッキング機構である。ディスクドライブ装置１では、ターンテーブル１３とともに、このターンテーブル１３に位置決め固定された光ディスクｄをスピンドルモータによって回転させる。
【００１５】
スライド送り機構２１は、ディスクトレイ３によって搬送されてきた光ディスクｄの径方向に亘って、同図矢印Ｂ方向に光ピックアップ１４をスライド移動させる。スライド送り機構２１は、駆動対象となる光ピックアップ１４が取り付けられるスライダ２２と、スライダ２２の移動方向を案内するガイドロッド２３と、スライダ２２の片面に取り付けられたラックギア２４と、このラックギア２４に噛合するピニオンギア２５と、ピニオンギア２５と同じ回転軸を有し、かつ該ピニオンギア２５と一体に回転するウォームホイール２６と、このウォームホイール２６の回転軸と直交するモータ２７の回転軸２７ａに取り付けられ且つウォームホイール２６と噛合するウォームギア２８とからなる。
【００１６】
このスライド送り機構２１は、モータ２７を駆動し回転軸２７ａを回転させることにより回転軸２７ａに取り付けられたウォームギア２８を回転させると、ウォームギア２８と噛合するウォームホイール２６、及びこのウォームホイール２６と一体に回転するピニオンギア２５が同図中矢印Ｃ方向に回転する。そして、このようなピニオンギア２５の回転によって、このピニオンギア２５と噛合するラックギア２４が取り付けられたスライダが図中矢印Ｂ方向にスライド移動することで、光ピックアップ１４の光ディスクｄの径方向に亘る移動が行われる。
【００１７】
上述したスライド送り機構２１では、ピニオンギア２５とウォームホイール２６とが共有する回転軸２９が、図２及び図３に示すように、一端側がユニットベース１２に、他端側がユニットベース１２に配設された軸支持部材３０により支持されている。軸支持部材３０は、断面略コの字状を呈するよう樹脂により形成され、ユニットベース１２と水平をなす部分に回転軸２９を挿通する穴部３１が形成されている。この軸支持部材３０は、図３に示すように、ユニットベース１２と垂直をなす立ち上がり部位３０ａ，３０ｂの厚みが薄く形成されており、光ピックアップ１４の移動方向と同方向、すなわち矢印Ｂ方向に撓みやすい構造とされている。
【００１８】
スライド送り機構２１は、このように構成することで、ディスクドライブ装置１の外部から衝撃が加わることによって、スライド送り機構２１の動作と無関係にスライダ２２を矢印Ｂ方向に移動させる力が働いた場合であっても、軸支持部材３０がスライダ２２の移動方向である矢印Ｂ方向に撓む、具体的には同図中破線で示す状態に弾性変形してピニオンギア２５、ウォームホイール２６及び回転軸２９の位置をずらすことで、外部からの衝撃によるスライダ２２の移動を吸収することができる。そして、このようなスライダ２２の移動による衝撃のピーク値を低くすることで各ギア部分にかかる負荷を軽減し、過度の負荷がかかることによる動作の不具合が防止される。
【００１９】
また、軸支持部材３０は、図４に示すように、ウォームホイール２６とウォームギア２８とのピッチ方向、及びピニオンギア２５とラックギア２４とのピッチ方向、すなわち同図中矢印Ｄ方向については、ウォームホイール２６とピニオンギア２５との回転軸２９が、板形状の断面二次モーメントが高い方向に支持されているため、その高い剛性により各ギア間のピッチが保たれる。したがって、各ギア間のピッチが広がることによってギア部分が容易に外れるようなことが無く、また各ギア間のピッチが狭まることによって各ギアに過度の負荷が加わることがない。すなわち、ディスクドライブ装置１におけるスライド送り機構２１では、外部からの衝撃の影響による光ピックアップ１４への衝撃や、ギア部分への過負荷を防止するため、ギア部分が容易に外れるように構成されない。したがって、ギア部分のかみ合わせが外れることによって、スライダがスライド送り機構２１の駆動動作とは無関係に外部の衝撃の影響で高速に移動するようなことが無くなり、光ピックアップ１４に高い衝撃が加わることがない。
【００２０】
一方、ディスクドライブ装置１においては、光ピックアップ１４の送り精度を確保することが必要であるため、上述した軸支持部材３０の弾性率を、光学ピックアップ１４の送り精度に影響するような強度ではない弾性率とする。
【００２１】
ディスクドライブ装置１では、上述したように軸支持部材３０を樹脂製とした場合に、該樹脂の板厚を適度に薄くなるよう調節することで、コストをかけずにスライド送り機構２１の衝撃耐性を改善することができる。
【００２２】
なお、軸支持部材３０は、上述したような樹脂製に限定されるものではなく、スライダ２２の移動方向と同方向に弾性変形し得る弾性部材、例えば金属製の板バネ等を利用するものであってもよい。
【００２３】
【発明の効果】
以上、詳細に説明したように、本発明に係るスライド送り機構によれば、該スライド送り機構を有する、例えばディスクドライブ装置の外部から衝撃が加わった場合であっても、スライダ送り機構の動作とは無関係のスライダの移動が、ウォームホイールとピニオンギアの回転軸を支持する支持部材が撓むことにより吸収されるため、各ギア部分への過負荷による動作の不具合を防止することができるとともに、被駆動手段に設けられた光ピックアップ等の駆動対象への衝撃を無くすことができる。
【００２４】
また、本発明では、ウォームホイールとピニオンギアとの回転軸が、支持部材の断面二次モーメントが高い方向に支持されているため、その高い剛性により各ギア間のピッチが保たれ、各ギアのかみ合わせが安易に外れる構造ではなく、かみ合わせが外れて被駆動手段に設けられた光ピックアップ等が内外周へ高速で移動して衝突し、高い衝撃が加わることがない。
【００２５】
さらに、本発明では、ウォームホイールとピニオンギアの回転軸の支持部材を樹脂製とした場合に、該樹脂の板厚を適度に薄くなるよう調節することで、余分なコストをかけずに衝撃耐性を改善することができる。
【図面の簡単な説明】
【図１】本発明に係るスライド送り機構を備えたディスクドライブ装置の斜視図である。
【図２】スライド送り機構が配設された機構ユニットの概略構成を示す平面図である。
【図３】スライド送り機構の要部断面図である。
【図４】スライド送り機構の要部平面図である。
【符号の説明】
１  ディスクドライブ装置
１１  機構ユニット
１２  ユニットベース
１３  ターンテーブル
１４  光ピックアップ
２１  スライド送り機構
２２  スライダ
２３  ガイドロッド
２４  ラックギア
２５  ピニオンギア
２６  ウォームホイール
２７  モータ
２８  ウォームギア
２９  回転軸
３０  軸支持部材
【図１】
2004176807.tif 000003
【図２】
2004176807.tif 000004
【図３】
2004176807.tif 000005
【図４】
2004176807.tif 000006